(57)【要約】【課題】複数の画像データに基づく画像が効果的に表示された写真プリントを作成することができる制御プログラム及び制御装置並びに記録媒体の提供。【解決手段】コンピュータを、読み取った複数の画像データをスライド表示するための設定データを生成する設定データ生成手段１４、複数の画像データと設定データとに基づいて、複数の画像データに基づく複数の画像をスライドショーに関連付けて合成した合成画像又は合成画像の写真プリントを印刷させるための印刷指示データを生成する合成画像生成手段１５、必要に応じて、少なくとも複数の画像データと合成画像のデータ又は印刷指示データとを記録媒体に記録するデータ記録手段１８として機能させるものであり、スライドショーに関連付けられた合成画像が表示される写真プリント１９を得ることができ、写真プリント１９や記録媒体９の利用価値を高めることができる。【選択図】図１１
2007012015.tif 000002
【特許請求の範囲】
【請求項１】
コンピュータを、
複数の画像データに基づく複数の画像をスライドショーとして表示するための設定データを生成する手段、
前記複数の画像データと前記設定データとに基づいて、前記複数の画像データに基づく複数の画像を前記スライドショーに関連付けて合成した合成画像、又は、前記合成画像に基づく写真プリントを印刷手段に印刷させるための印刷指示データを生成する手段、として機能させることを特徴とする制御プログラム。
【請求項２】
コンピュータを、
少なくとも、前記複数の画像データと、前記合成画像のデータ又は前記印刷指示データとを、記録媒体に記録させる手段、として機能させることを特徴とする請求項１記載の制御プログラム。
【請求項３】
コンピュータを、
記録媒体に記録された複数の画像データに基づく複数の画像をスライドショーとして表示するための設定データを特定する手段、
前記複数の画像データと前記設定データとに基づいて、前記複数の画像データに基づく複数の画像を前記スライドショーに関連付けて合成した合成画像、又は、前記合成画像に基づく写真プリントを印刷手段に印刷させるための印刷指示データを生成する手段、として機能させることを特徴とする制御プログラム。
【請求項４】
コンピュータを、
少なくとも、前記合成画像のデータ又は前記印刷指示データを、前記記録媒体に記録させる手段、として機能させることを特徴とする請求項３記載の制御プログラム。
【請求項５】
前記合成画像を生成する手段では、前記複数の画像データに基づく複数の画像を前記スライドショーの表示順に従って配列した合成画像を生成することを特徴とする請求項１乃至４のいずれか一に記載の制御プログラム。
【請求項６】
前記合成画像を生成する手段では、前記スライドショーの表示順を特定する情報、前記スライドショーのタイトル、前記画像データに基づく画像に対するコメント、及び、前記画像データに基づく画像に対する処理を特定する情報、の中から選択される少なくとも１つを合成した合成画像を生成することを特徴とする請求項５記載の制御プログラム。
【請求項７】
複数の画像データに基づく複数の画像をスライドショーとして表示するための設定データを生成する手段と、
前記複数の画像データと前記設定データとに基づいて、前記複数の画像データに基づく複数の画像を前記スライドショーに関連付けて合成した合成画像、又は、前記合成画像に基づく写真プリントを印刷手段に印刷させるための印刷指示データを生成する手段と、
印刷手段に、前記写真プリントを印刷させる手段と、を少なくとも備えることを特徴とする制御装置。
【請求項８】
更に、少なくとも、前記複数の画像データと、前記合成画像のデータ又は前記印刷指示データとを、記録媒体に記録させる手段を備えることを特徴とする請求項７記載の制御装置。
【請求項９】
記録媒体に記録された複数の画像データに基づく複数の画像をスライドショーとして表示するための設定データを特定する手段と、
前記複数の画像データと前記設定データとに基づいて、前記複数の画像データに基づく複数の画像を前記スライドショーに関連付けて合成した合成画像、又は、前記合成画像に基づく写真プリントを印刷手段に印刷させるための印刷指示データを生成する手段と、
印刷手段に、前記写真プリントを印刷させる手段と、を少なくとも備えることを特徴とする制御装置。
【請求項１０】
更に、少なくとも、前記合成画像のデータ又は前記印刷指示データを、前記記録媒体に記録させる手段を備えることを特徴とする請求項９記載の制御装置。
【請求項１１】
前記合成画像を生成する手段では、前記複数の画像データに基づく複数の画像を前記スライドショーの表示順に従って配列した合成画像を生成することを特徴とする請求項７乃至１０のいずれか一に記載の制御装置。
【請求項１２】
前記合成画像を生成する手段では、前記スライドショーの表示順を特定する情報、前記スライドショーのタイトル、前記画像データに基づく画像に対するコメント、及び、前記画像データに基づく画像に対する処理を特定する情報、の中から選択される少なくとも１つを合成した合成画像を生成することを特徴とする請求項１１記載の制御装置。
【請求項１３】
少なくとも、複数の画像データと、前記複数の画像データに基づく複数の画像をスライドショーに関連付けて合成した合成画像のデータ又は前記合成画像に基づく写真プリントを印刷手段に作成させるための印刷指示データと、が記録されていることを特徴とする記録媒体。
【請求項１４】
少なくとも、複数の画像データと、前記複数の画像データに基づいて生成された特定形式のデータと、前記複数の画像データに基づく複数の画像をスライドショーに関連付けて合成した合成画像のデータ又は前記合成画像に基づく写真プリントを印刷手段に作成させるための印刷指示データと、が記録されていることを特徴とする記録媒体。
【発明の詳細な説明】
【技術分野】
【０００１】
本発明は、写真プリントを作成するための制御プログラム及び制御装置並びに記録媒体に関する。
【背景技術】
【０００２】
近年、写真画像に関する様々なサービスが提供されている。例えば、写真や動画を撮影したデジタルカメラやデジタルカメラ用メディアをミニラボ等の写真店やコンビニエンスストアなどに持ち込めば、店舗内に設けられた無人端末（キオスク）や店頭端末などを用いて、デジタルカメラやメディアに記録された画像データをＣＤ−Ｒ、ＤＶＤ−Ｒなどの記録媒体に書き込んだり、画像データに加えて該画像データをコンピュータ機器でスライドショーとして再生するためのアプリケーションをＣＤ−Ｒ、ＤＶＤ−Ｒなどの記録媒体に書き込むことができる（無人端末に関しては、例えば、下記特許文献１参照）。
【０００３】
また、デジタルカメラやメディアから読み取った画像データを、ＤＶＤプレーヤやＤＶＤレコーダ、ゲーム機のような家電機器でスライドショーとして再生するためのＶｉｄｅｏ−ＣＤ形式やＤＶＤ−Ｖｉｄｅｏ形式のデータ（以下、家電機器で再生するためのスライドショー用のデータを家電機器用データと呼ぶ。）を生成し、元の画像データやアプリケーションと共に生成した家電機器用データをＣＤ−Ｒ、ＤＶＤ−Ｒなどの記録媒体に書き込むこともできる。
【０００４】
【特許文献１】特開平１１−８８１７号公報（第３−４頁、第１図）
【発明の開示】
【発明が解決しようとする課題】
【０００５】
上記サービスを頻繁に利用するユーザの場合、多数の記録媒体を保有することになるため、どの記録媒体にどのような画像データが記録されているかがわかりにくくなってしまう。そこで、デジタルカメラやメディアに記録された画像データや該画像データから生成された家電機器用データを記録媒体に記録する際に、該画像データに基づく縮小画像を配列したインデックスプリントなどの写真プリントを作成して、記録媒体と写真プリントとをセットにして提供するサービスも行われている。
【０００６】
ここで、記録媒体に記録された画像データをスライドショーとして再生する場合、スライド表示の順番を変更したり、スライドショーのタイトルを表示させたり、各々の画像にコメントを挿入したり、画像を回転するなどして、スライドショーの見栄えがよくなるように条件を設定するが、従来の写真プリントは多数の画像データの画像をファイル名順などで配列しただけであり、スライドショーに関連付けて作成されたものではないため、写真プリントを見ただけではスライドショーを想起することができず、写真プリントの利用価値が低いという問題があった。
【０００７】
また、従来の記録媒体には、デジタルカメラやメディアなどから読み取った画像データや該画像データに基づいて生成された家電機器用データが記録されるだけであり、スライドショーに関連付けられた写真プリントを作成するためのデータは記録されていないため、該記録媒体を用いて簡単に写真プリントを作成することができず、記録媒体の利用価値が低いという問題もあった。
【０００８】
本発明は、上記問題点に鑑みてなされたものであって、その主たる目的は、記録媒体に記録された複数の画像データに基づく複数の画像が効果的に表示された写真プリントを作成することができる制御プログラム及び制御装置並びに記録媒体を提供することにある。
【課題を解決するための手段】
【０００９】
上記目的を達成するため、本発明の制御プログラムは、コンピュータを、複数の画像データに基づく複数の画像をスライドショーとして表示するための設定データを生成する手段、前記複数の画像データと前記設定データとに基づいて、前記複数の画像データに基づく複数の画像を前記スライドショーに関連付けて合成した合成画像、又は、前記合成画像に基づく写真プリントを印刷手段に印刷させるための印刷指示データを生成する手段、として機能させるものであり、本発明においては、コンピュータを、少なくとも、前記複数の画像データと、前記合成画像のデータ又は前記印刷指示データとを、記録媒体に記録させる手段、として機能させる構成とすることができる。
【００１０】
また、本発明の制御プログラムは、コンピュータを、記録媒体に記録された複数の画像データに基づく複数の画像をスライドショーとして表示するための設定データを特定する手段、前記複数の画像データと前記設定データとに基づいて、前記複数の画像データに基づく複数の画像を前記スライドショーに関連付けて合成した合成画像、又は、前記合成画像に基づく写真プリントを印刷手段に印刷させるための印刷指示データを生成する手段、として機能させるものであり、本発明においては、コンピュータを、少なくとも、前記合成画像のデータ又は前記印刷指示データを、前記記録媒体に記録させる手段、として機能させる構成とすることができる。
【００１１】
また、本発明の制御装置は、複数の画像データに基づく複数の画像をスライドショーとして表示するための設定データを生成する手段と、前記複数の画像データと前記設定データとに基づいて、前記複数の画像データに基づく複数の画像を前記スライドショーに関連付けて合成した合成画像、又は、前記合成画像に基づく写真プリントを印刷手段に印刷させるための印刷指示データを生成する手段と、印刷手段に、前記写真プリントを印刷させる手段と、少なくとも前記複数の画像データと前記設定データとを記録媒体に記録させる手段と、を少なくとも備えるものであり、本発明においては、更に、少なくとも、前記複数の画像データと、前記合成画像のデータ又は前記印刷指示データとを、記録媒体に記録させる手段を備える構成とすることができる。
【００１２】
また、本発明の制御装置は、記録媒体に記録された複数の画像データに基づく複数の画像をスライドショーとして表示するための設定データを特定する手段と、前記複数の画像データと前記設定データとに基づいて、前記複数の画像データに基づく複数の画像を前記スライドショーに関連付けて合成した合成画像、又は、前記合成画像に基づく写真プリントを印刷手段に印刷させるための印刷指示データを生成する手段と、印刷手段に、前記写真プリントを印刷させる手段と、を少なくとも備えるものであり、本発明においては、更に、少なくとも、前記合成画像のデータ又は前記印刷指示データを、前記記録媒体に記録させる手段を備える構成とすることができる。
【００１３】
また、本発明においては、前記合成画像を生成する手段では、前記複数の画像データに基づく複数の画像を前記スライドショーの表示順に従って配列した合成画像を生成することが好ましい。
【００１４】
また、本発明においては、前記合成画像を生成する手段では、前記スライドショーの表示順を特定する情報、前記スライドショーのタイトル、前記画像データに基づく画像に対するコメント、及び、前記画像データに基づく画像に対する処理を特定する情報、の中から選択される少なくとも１つを合成した合成画像を生成する構成とすることができる。
【００１５】
また、本発明に記録媒体は、少なくとも、複数の画像データと、前記複数の画像データに基づく複数の画像をスライドショーに関連付けて合成した合成画像のデータ又は前記合成画像に基づく写真プリントを印刷手段に作成させるための印刷指示データと、が記録されているものである。
【００１６】
また、本発明に記録媒体は、少なくとも、複数の画像データと、前記複数の画像データに基づいて生成された特定形式のデータと、前記複数の画像データに基づく複数の画像をスライドショーに関連付けて合成した合成画像のデータ又は前記合成画像に基づく写真プリントを印刷手段に作成させるための印刷指示データと、が記録されているものである。
【００１７】
このように、本発明の構成によれば、記録媒体に記録された複数の画像データに基づく複数の画像がスライドショーに関連付けて表示される写真プリントが作成されてユーザに提供されるため、ユーザは写真プリントを見るだけでスライドショーの内容を把握することができ、写真プリントの利用価値を高めることができる。
【００１８】
また、記録媒体には、複数の画像データや複数の画像データに基づいて生成された特定形式のデータに加えて、複数の画像データに基づく複数の画像がスライドショーに関連付けて合成された合成画像のデータ又は合成画像に基づく写真プリントを印刷手段に印刷させるための印刷指示データが記録されるため、記録媒体の利用価値も高めることができる。
【発明の効果】
【００１９】
本発明の制御プログラム及び制御装置並びに記録媒体によれば、記録媒体や写真プリントが提供される場合において、写真プリントや記録媒体の利用価値を高めることができる。
【００２０】
その理由は、複数の画像データに基づく複数の画像をスライドショーとして表示するための設定データを生成し、画像データと設定データとに基づいて、該画像データに基づく画像をスライドショーに関連付けて合成した合成画像を生成し、該合成画像に基づいて写真プリントを作成し、記録媒体と写真プリントとをセットにしてユーザに提供するため、ユーザは写真プリントを見るだけでスライドショーの内容を把握することができるからである。
【００２１】
また、記録媒体から、該記録媒体に記録された複数の画像データに基づく複数の画像をスライドショーとして表示するための設定データを特定し、画像データと設定データとに基づいて、該画像データに基づく画像をスライドショーに関連付けて合成した合成画像を生成し、該合成画像に基づいて写真プリントを作成してユーザに提供するため、ユーザは写真プリントを見るだけでスライドショーの内容を把握することができるからである。
【００２２】
また、記録媒体には、複数の画像データや複数の画像データに基づいて生成された家電機器用データに加えて、複数の画像データに基づく複数の画像がスライドショーに関連付けて合成された合成画像のデータ又は合成画像に基づく写真プリントを印刷手段に印刷させるための印刷指示データが記録されるからである。
【発明を実施するための最良の形態】
【００２３】
本発明の制御プログラムは、その好ましい一実施の形態において、コンピュータを、デジタルカメラやデジタルカメラ用メディアから読み取った複数の画像データに基づく複数の画像をスライドショーとして表示するための設定データを生成する設定データ生成手段、画像データと設定データとに基づいて、該画像データに基づく画像をスライドショーに関連付けて合成した合成画像又は該合成画像に基づく写真プリントを印刷手段に印刷させるための印刷指示データを生成する合成画像生成手段、必要に応じて、少なくとも、複数の画像データと合成画像のデータ又は印刷指示データとを記録媒体に記録するデータ記録手段して機能させるものであり、写真プリントには記録媒体に記録された画像データの画像が単に配列して表示されるのではなく、スライドショーに関連付けられた合成画像が表示されるため、ユーザは写真プリントを見るだけでスライドショーの内容を把握することができ、写真プリントや記録媒体の利用価値を高めることができる。
【実施例１】
【００２４】
上記実施形態について詳細に説明すべく、本発明の第１の実施例に係る制御プログラム及び制御装置について、図１乃至図１４を参照して説明する。図１は、本実施例に係る制御装置の構成を模式的に示す外観図であり、図２乃至図６は、そのバリエーションを示す図である。また、図７は、制御装置の機能を示すブロック図であり、図８は、本実施例の制御装置を用いた処理の手順を示すフローチャート図である。また、図９は、制御装置の表示手段に表示される画面構成例を示す図であり、図１０は、スライドショーの表示例を示す図である。また、図１１及び図１２は、写真プリントの構成例を示す図であり、図１３は、記録媒体のフォルダ構造の一例を示す図、図１４は、記録媒体（ＣＤ−Ｒ）の構造を模式的に示す図である。
【００２５】
図１に示すように、本実施例の制御装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１０を介してサーバ１１から画像データなどをダウンロードするネットワーク接続部等と、ＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９を装填する記録媒体装填部４と、ボタン、キーボード、マウス等の操作手段６及びＬＣＤ、ＣＲＴ等の表示手段５と、任意のサイズ（Ｅ、Ｌ、ＫＧ、Ａ４など）、種別（銀塩プリント、昇華プリントなど）、形態（個別のプリント、インデックスプリント、ジャケットプリントなど）の写真プリント１９を作成する銀塩プリンタや昇華プリンタ、インクジェットプリンタなどの印刷手段１７と、を備えている。
【００２６】
また、制御装置１に備える主な手段をブロック図で示すと図７のようになり、メディア装填部２や機器接続部３、ネットワーク接続部などを用いて画像データ（静止画像データや動画データ、画像情報を含むデータを総称して画像データと呼ぶ。）を入力するデータ入力手段１２と、必要に応じて、画像データをＤＶＤプレーヤやＤＶＤレコーダ、ＨＤＤレコーダ、ゲーム機等の家電機器でスライドショーとして再生するためのＶｉｄｅｏ−ＣＤ形式、ＤＶＤ−Ｖｉｄｅｏ形式、ＨＤＴＶ形式などの家電機器用データを生成したり、画像データのデータサイズを縮小したサムネイル画像データやスクリーンネイル画像データなどの縮小画像データを作成するデータ生成手段１３と、スライド表示順やスライドショーに挿入するタイトル、画像に挿入するコメント、画像の回転の有無を特定する情報などが記述された、画像データに基づく画像をスライドショーとして表示するための設定データを生成する設定データ生成手段１４と、画像データと設定データとに基づいて、該画像データに基づく画像をスライドショーに関連付けて合成した合成画像を生成する合成画像生成手段１５と、印刷手段１７に、合成画像が表示される写真プリント１９を作成させる印刷制御手段１６と、記録媒体装填部４に装填された記録媒体９に画像データや家電機器用データ、設定データなどを記録するデータ記録手段１８と、画像データの選択や文字の入力などを行う表示手段５及び操作手段６とを少なくとも備えている。
【００２７】
なお、上記各手段は制御装置１にハードウェアとして構成されていてもよいが、少なくとも、コンピュータを、設定データ生成手段１４及び合成画像生成手段１５として機能させる制御プログラムとして構成し、該制御プログラムを制御装置１にインストールして実行する構成としてもよい。また、図１では制御装置１としてパーソナルコンピュータなどのコンピュータ機器を示しているが、制御装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとしたり、図６に示すように、ハードディスクを備えた端末と画像データの読み取りや書き込みを行う本体とが分離可能な携帯機器としたり、演算処理機能を備えたカーナビゲーション機器などとすることもできる。
【００２８】
次に、上記構成の制御装置１（制御プログラム）を用いて記録媒体９に画像データを記録すると共にスライドショーに関連付けた写真プリント１９を作成する手順について、図８のフローチャート図を参照して説明する。
【００２９】
まず、ステップＳ１０１で、制御装置１のメディア装填部２にメディア８を装填、又は、機器接続部３にデジタルカメラ７やカメラ付き携帯電話機７ａを接続し、ステップＳ１０２で、データ入力手段１２を用いて、デジタルカメラ７やメディア８から画像データを読み取る。この画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や通信ネットワーク１０を介して接続されるサーバ１１などであってもよい。
【００３０】
そして、画像データの読み取りが終了すると、表示手段５に、例えば図９に示すようなスライドショー設定画面２０が表示される。このスライドショー設定画面２０には、読み取った画像データに基づく画像を一覧表示する一覧表示欄２１と、選択した画像を拡大表示する拡大表示欄２２と、作業を選択する作業メニュー欄２３などが設けられており、ステップＳ１０３で、操作手段６を操作して作業メニュー欄２２の中から所望の作業を選択し、画像データを選択したり、画像の表示順を変更したり、画像を回転させたり、スライドショーのタイトルを入力したり、画像にコメントを挿入するなどのスライドショーの再生条件の設定を行う。その後、ステップＳ１０４で、設定データ生成手段１４は、上記スライド表示順や画像の向き、タイトルやコメントなどの情報が記述された設定データを生成する。このようにして再生条件が設定されたスライドショーは、例えば図１０に示すようになり、１枚目のスライド画面２４に入力したタイトルが表示され、その後、設定された表示順で順次各々の画像データに基づく画像が表示される。なお、設定データのファイル形式や各種情報の記述形態などは特に限定されない。
【００３１】
次に、ステップＳ１０５で、制御装置１の記録媒体装填部４にＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスクなどの記録媒体９を装填する。ここで全ての記録媒体１９に対してデータの記録が行われるようにしてもよいし、その中の特定の記録媒体１９に対してのみデータの記録が行われるようにしてもよい。その場合は、ステップＳ１０６で、記録媒体装填部４に装填された記録媒体９の所定の領域に、該記録媒体９を識別するための識別情報が記録されているかに基づいて該記録媒体９が特定の記録媒体であるかを識別することができる。その際、上記識別情報は適正な記録媒体に対して画像データを記録するために設けるものであり、識別情報の記録場所や中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００３２】
ここで、一般的な記録媒体９の構造について、図１４を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００３３】
次に、ステップＳ１０７で、必要に応じて、データ生成手段１３は、設定データを参照して、読み取った画像データを用いて動画データ（例えば、ＭＰＥＧ１、２、４、７形式などの動画データ）を生成（エンコード）し、生成した動画データを、ＤＶＤプレーヤやＤＶＤレコーダ、ＨＤＤレコーダ、ゲーム機などの家電機器で再生可能なＶｉｄｅｏ−ＣＤ形式やＤＶＤ−Ｖｉｄｅｏ形式、ＨＤＴＶ形式に変換（オーサリング）して、家電機器でスライドショーを再生するための家電機器用データを生成する。上記画像データから動画データを作成する方法は特に限定されないが、例えば、静止画像データにスライド表示の時間分の差分０のデータを付加して動画データを生成したり、スライド効果に基づく差分データを付加して動画データを生成すればよい。
【００３４】
また、必要に応じて、データ生成手段１３を用いて、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができる。
【００３５】
次に、各種データを記録媒体９に書き込むが、その際、家電機器では所定の領域（ディスク型記録媒体の内側）に記録されたデータしか読み出すことができないため、家電機器用データを生成した場合は、ステップＳ１０８で、データ記録手段１８を用いて、生成された家電機器用データ等を記録媒体９の内側に書き込み、必要に応じてセッションをクローズした後、ステップＳ１０９で、読み取った画像データ及び生成した設定データ、必要に応じて縮小画像データ、情報ファイル、音楽データなど（以下、これらを総称してコンピュータ機器用データと呼ぶ。）を家電機器用データの外側に書き込む。
【００３６】
上記手順で作成された記録媒体９のディレクトリ構造は、例えば、図１３に示すようになり、”PS_Roll”フォルダ内のオリジナル画像データやサムネイル画像データ、スクリーンネイル画像データ、”APPL”フォルダ内のスライドショープログラムやスライドショーの設定データ（Slidesetting.ini）、記録媒体９に関する各種情報が記述された特定の情報ファイル（index.pvm）、自動起動ファイルなどでコンピュータ機器用データが構成され、Ｖｉｄｅｏ−ＣＤ形式のデータを生成した場合は図１３（ａ）に示すように、”VCD”フォルダ内の画像データをＶｉｄｅｏ−ＣＤ形式用データとして関連付けるファイル、”SEGMENT”フォルダ内のＴＶ画面に表示する画像データ、”MPEGAV”フォルダ内の動画データ、”CDI”フォルダ内のＴＶ画面に静止画像データを表示するためのアプリケーションなどで家電機器用データが構成され、ＤＶＤ−Ｖｉｄｅｏ形式のデータを生成した場合は図１３（ｂ）に示すように、”VIDEO_TS”フォルダ内の、チャプター位置情報が記述されたVIDEO_TS.IFOとそのバックアップファイルであるVIDEO_TS.BUPとタイトル選択メニューのためのVIDEO_TS.VOBとで構成されるビデオマネージャ（ＶＭＧ）と、チャプター位置情報が記述されたVTS_**_0.IFOとそのバックアップファイルであるVTS_**_0.BUPとＶＴＳの各タイトルの動画データであるVTS_**_*.VOBなどとで構成されるビデオタイトルセット（ＶＴＳ）などで家電機器用データが構成される。
【００３７】
なお、画像データのディレクトリ構造は任意であるが、画像データをコンピュータ機器などにバックアップした場合における管理を容易にするために、例えば、図１３に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像データをCCYYMMDDxxxxxx（CC：画像データの種別、YYMMDD：書き込み年月日を特定する数字、xxxxxx：シーケンシャル番号）などにリネームすることもできる。
【００３８】
次に、写真プリント１９に印刷する画像を生成するが、従来の制御装置１では、写真プリント１９には読み取った画像データに基づく画像が配列して印刷されるだけであり、スライドショーに関連付けて写真プリント１９を作成するものではないため、写真プリント１９を見てもスライドショーを想起することができず、写真プリント１９の利用価値が低いという問題があった。そこで、本実施例では、ステップＳ１１０で、合成画像生成手段１５を用い、画像データ及び設定データに基づいて、スライドショーに関連付けられた合成画像を生成する。
【００３９】
具体的には、スライドショーの表示順と同じ順番で画像を配列した合成画像を生成したり、スライド表示の順番を示す情報（番号や矢印など）を画像に関連付けて表示した合成画像を生成したり、タイトルを付加した合成画像を生成したり、所定の画像にコメントを挿入した合成画像を生成したり、所定の処理（例えば、画像の回転やトリミングなど）を行った画像に対して処理を特定する情報（例えば、画像回転の有無を示す記号など）を表示した合成画像を生成する。
【００４０】
そして、ステップＳ１１１で、印刷制御手段１６は、印刷手段１７に、上記合成画像に基づいて写真プリント１９を印刷させる。この写真プリント１９は、少なくとも複数の画像データに基づく複数の画像がスライドショーの表示順に従って配列されていればよいが、例えば、図１１（ａ）に示すように、１枚目のスライド画面に対応する位置にタイトルを表示させたり、図１１（ｂ）、（ｃ）に示すように、各々の画像の所定の位置（画像近傍又は画像中）にスライドショーの表示順を示す番号や矢印を表示させたり、図１２（ａ）、（ｂ）に示すように、所定の画像の所定の位置（画像近傍又は画像中）に入力したコメントを表示させたり、図１２（ｃ）に示すように、所定の画像の所定の位置（画像近傍又は画像中）に該画像に対して行った処理を特定する情報（例えば、画像を回転させたことを示すマークなど）を表示させる構成とすることもできる。なお、図１１及び図１２は例示であり、画像の配列数、各画像のサイズなどは適宜変更することができる。例えば、図２１に示すようにジャケットプリント２７に合成画像を印刷してもよい。
【００４１】
このように、本実施例では、デジタルカメラ７やメディア８から読み取った画像データをスライドショーとして再生するための設定データが生成され、画像データと設定データとに基づいて、スライドショーに関連付けられた合成画像が生成され、該合成画像に基づいて写真プリント１９が作成されるため、ユーザは写真プリント１９を見るだけでスライドショーの内容を把握することができ、写真プリント１９の利用価値を高めることができる。
【００４２】
なお、上記フローでは、記録媒体９に各種データを記録した後に合成画像の生成や写真プリント１９の作成を行ったが、各々のステップの順番は適宜変更することができ、例えば、合成画像の生成や写真プリント１９の作成処理を行った後に記録媒体９に各種データを記録してもよいし、所要時間を短縮するために、各種データの記録と合成画像の生成や写真プリント１９の作成処理とを並行して実行してもよい。
【実施例２】
【００４３】
次に、本発明の第２の実施例に係る制御プログラム及び制御装置について、図１５及び図１６を参照して説明する。図１５は、本実施例の制御装置の機能を示すブロック図であり、図１６は、本実施例の制御装置を用いた処理の手順を示すフローチャート図である。
【００４４】
前記した第１の実施例では、ブランクの記録媒体９に対して各種データを記録すると共に写真プリント１９の作成を行ったが、一旦、記録媒体９に各種データを記録し、その後に写真プリント１９を作成することも可能である。そこで、本実施例では、画像データと設定データとが予め記録されている記録媒体９に対して、画像データと設定データとに基づいて写真プリント１９を作成する場合について記載する。
【００４５】
図１５に示すように、本実施例の制御装置１は、記録媒体装填部４に装填された記録媒体９から画像データや設定データなどを読み取るデータ入力手段１２と、読み取ったデータの中から設定データを特定し、スライド表示順や画像の向きを特定する情報、タイトルやコメントなどの設定情報を判別する設定データ特定手段２５と、画像データと設定データとに基づいて該画像データに基づく画像をスライドショーに関連付けて合成した合成画像を生成する合成画像生成手段１５と、印刷手段１７に、合成画像に基づく写真プリント１９を作成させる印刷制御手段１６と、表示手段５及び操作手段６と、を少なくとも備えている。
【００４６】
なお、本実施例においても、少なくとも、コンピュータを、設定データ特定手段２５及び合成画像生成手段１５として機能させる制御プログラムとして構成し、該制御プログラムを制御装置１にインストールして実行する構成としてもよい。また、制御装置１の形態も任意であり、コンピュータ機器としてもよいし、キオスクなどの端末としてもよいし、専用のセットトップボックスとしてもよいし、ポータブルプレーヤや端末と本体とが分離可能な携帯機器、ＤＶＤレコーダなどの家電機器としてもよいし、演算処理機能を備えたカーナビゲーション機器などとしてもよい。
【００４７】
次に、上記構成の制御装置１（制御プログラム）を用いて写真プリント１９を生成する手順について、図１６のフローチャート図を参照して説明する。
【００４８】
まず、ステップＳ２０１で、制御装置１の記録媒体装填部４にＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスクなどの記録媒体９を装填し、ステップＳ２０２で、必要に応じて、所定の領域から識別情報を読み出したり、記録媒体９中に所定の名称（例えば、図１３における”PS_Roll”や”ROYYMMDDyyy_XXXXXXAABxxx”などの名称）のフォルダが形成されているか、記録媒体９中に所定のファイル名（例えば、図１３における”CCYYMMDDxxxxxx”などのファイル名）の画像データが記録されているか、記録媒体９中に所定の情報が記述された情報ファイル（例えば、図１３における”index.pvm”など）が記録されているかなどに基づいて、記録媒体９を識別する。
【００４９】
次に、ステップＳ２０３で、データ入力手段１２を用いて、記録媒体９から画像データや設定データなどの各種データを読み取り、ステップＳ２０４で、設定データ特定手段２５を用いて、ファイル名（例えば、Slidesetting.ini）などを参照して設定データを特定し、該設定データに記述された設定情報（スライド表示順、画像の向き、スライドショーに挿入するタイトルやコメントなど）を判別する。
【００５０】
次に、ステップＳ２０５で、合成画像生成手段１５を用いて、画像データ及び設定データに基づいて、スライドショーに関連付けられた合成画像を生成する。具体的には、第１の実施例と同様に、スライドショーの表示順と同じ順番で画像を配列した合成画像を生成したり、スライド表示の順番を示す情報（番号や矢印など）を画像に関連付けて表示した合成画像を生成したり、タイトルを付加した合成画像を生成したり、所定の画像にコメントを挿入した合成画像を生成したり、所定の処理（例えば、画像の回転やトリミングなど）を行った画像に対して処理を特定する情報（例えば、画像回転の有無を示す記号など）を表示した合成画像を生成する。
【００５１】
そして、ステップＳ２０６で、印刷制御手段１６は、印刷手段１７に、上記合成画像に基づいて写真プリント１９を印刷させる。この写真プリント１９は、少なくとも複数の画像データに基づく複数の画像がスライドショーの表示順に従って配列されていればよいが、第１の実施例と同様に、１枚目のスライド画面に対応する位置にタイトルを表示させたり、各々の画像の所定の位置（画像近傍又は画像中）にスライドショーの表示順を示す番号や矢印を表示させたり、所定の画像の所定の位置（画像近傍又は画像中）に入力したコメントを表示させたり、所定の画像の所定の位置（画像近傍又は画像中）に該画像に対して行った処理を特定する情報（例えば、画像を回転させたことを示すマークなど）を表示させることもできる。なお、本実施例においても、画像の配列数、各画像のサイズなどは適宜変更することができ、例えば、図２１に示すようにジャケットプリント２７に合成画像を印刷してもよい。
【００５２】
このように、本実施例では、記録媒体９から読み取ったデータの中から、記録媒体９に記録された画像データをスライドショーとして再生するための設定データが特定され、画像データと設定データとに基づいて、スライドショーに関連付けられた合成画像が生成され、該合成画像に基づいて写真プリント１９が作成されるため、ユーザは写真プリント１９を見るだけでスライドショーの内容を把握することができ、写真プリント１９の利用価値を高めることができる。
【実施例３】
【００５３】
次に、本発明の第３の実施例に係る制御プログラム及び制御装置並びに記録媒体について、図１７乃至図２１を参照して説明する。図１７は、本実施例の制御装置を用いた処理の手順を示すフローチャート図であり、図１８は、制御装置の表示手段に表示される画面構成例を示す図である。また、図１９及び図２０は、記録媒体のフォルダ構造の一例を示す図であり、図２１はジャケットプリントの構成例を示す図である。
【００５４】
前記した第１及び第２の実施例では、メディア８などから読み取った画像データ又は記録媒体９から読み取った画像データに基づいて合成画像に基づく写真プリント１９を作成したが、第１の実施例の末尾に記載したように、例えば、合成画像の生成処理を行った後に記録媒体９に各種データを記録することもでき、その場合に、記録媒体９に合成画像のデータや合成画像に基づく写真プリント１９を印刷手段１７に印刷させるための印刷指示データを記録する構成とすることもできる。
【００５５】
その場合の制御装置１の構成は第１又は第２の実施例と同様であるが、合成画像生成手段１５では、複数の画像データと設定データとに基づいて、複数の画像データに基づく複数の画像をスライドショーに関連付けて合成した合成画像を生成、又は、その合成画像に基づく写真プリント１９を印刷手段１７に印刷させるための印刷指示データを生成し、データ記録手段１８では、記録媒体装填部４に装填された記録媒体９に、複数の画像データや家電機器用データ、設定データなどに加えて、合成画像のデータや印刷指示データを記録する。なお、本実施例の場合は、制御プログラムは、コンピュータを、設定データ生成手段１４（又は設定データ特定手段２５）、合成画像生成手段１５、データ記録手段１８として機能させることになる。
【００５６】
以下、上記構成の制御装置１（制御プログラム）を用いて記録媒体９に画像データや家電機器用データに加えて、合成画像のデータや印刷指示データを記録する手順について、図１７のフローチャート図を参照して説明する。なお、以下ではメディア８などから画像データを読み取る場合について記載する。
【００５７】
まず、第１の実施例と同様に、ステップＳ３０１で、制御装置１のメディア装填部２にメディア８を装填、又は、機器接続部３にデジタルカメラ７やカメラ付き携帯電話機７ａを接続し、ステップＳ３０２で、データ入力手段１２を用いて、デジタルカメラ７やメディア８から画像データを読み取る。次に、ステップＳ３０３で、図９に示すようなスライドショー設定画面２０を用いて、画像データを選択したり、画像の表示順を変更したり、画像を回転させたり、スライドショーのタイトルを入力したり、画像にコメントを挿入するなどのスライドショーの再生条件の設定を行い、ステップＳ３０４で、設定データ生成手段１４は、上記スライド表示順や画像の向き、タイトルやコメントなどの情報が記述された設定データを生成する。
【００５８】
次に、ステップＳ３０５で、表示手段５に図１８に示すような選択画面２６を表示させ、写真プリント１９の印刷用のデータ（合成画像のデータ又は印刷指示データ）を記録媒体９に記録するか否かをユーザに選択させる。
【００５９】
次に、印刷用のデータを記録する場合は、ステップＳ３０６で、合成画像生成手段１５を用い、複数の画像データ及び設定データに基づいて、複数の画像データに基づく複数の画像をスライドショーに関連付けて合成した合成画像を生成する。具体的には、スライドショーの表示順と同じ順番で画像を配列した合成画像を生成したり、スライド表示の順番を示す情報（番号や矢印など）を画像に関連付けて表示した合成画像を生成したり、タイトルを付加した合成画像を生成したり、所定の画像にコメントを挿入した合成画像を生成したり、所定の処理（例えば、画像の回転やトリミングなど）を行った画像に対して処理を特定する情報（例えば、画像回転の有無を示す記号など）を表示した合成画像を生成する。
【００６０】
また、合成画像を生成する代わりに、又は合成画像の生成と共に、合成画像生成手段１５を用いて印刷指示データを生成してもよい。この印刷指示データは、印刷手段１７に合成画像に基づく写真プリント１９を印刷させるために必要な情報が記述されたデータであり、その構成やファイル形式などは特に限定されないが、例えば、ヘッダ情報として、画像に挿入するタイトルの情報や、複数の画像データに基づく画像を嵌め込むためのテンプレートを特定する情報、各々の画像の配置を規定するレイアウトパターン情報、作成日時情報などを記述することができ、また、各々の画像に対する指示情報として、シリアル番号や写真プリント１９上での位置を特定する情報、嵌め込む画像の元となる画像データの保存場所を特定するパス情報、画像を回転させるか否かを示す回転情報、画像をそのままのサイズで表示するか、枠のサイズに合わせて表示するかを規定するフィッティング情報、画像に合成するコメントの色やフォント、配置などを特定するコメント情報、画像に日時を表示するか否かを規定する日時有／無情報、写真プリント１９が複数枚の場合の通し番号を示すページ情報などを記述することができる。
【００６１】
次に、ステップＳ３０７で、制御装置１の記録媒体装填部４に記録媒体９を装填し、必要に応じて、ステップＳ３０８で、記録媒体装填部４に装填された記録媒体９の所定の領域に、該記録媒体９を識別するための識別情報が記録されているかに基づいて該記録媒体９が特定の記録媒体であるかを識別する。
【００６２】
次に、ステップＳ３０９で、必要に応じて、データ生成手段１３は、設定データを参照して、読み取った画像データを用いて動画データ（例えば、ＭＰＥＧ１、２、４、７形式などの動画データ）を生成（エンコード）し、生成した動画データを、ＤＶＤプレーヤやＤＶＤレコーダ、ＨＤＤレコーダ、ゲーム機などの家電機器で再生可能なＶｉｄｅｏ−ＣＤ形式やＤＶＤ−Ｖｉｄｅｏ形式、ＨＤＴＶ形式に変換（オーサリング）して、家電機器でスライドショーを再生するための家電機器用データを生成したり、読み取った画像データのデータサイズを縮小したサムネイル画像データやスクリーンネイル画像データなどの縮小画像データを作成する。
【００６３】
次に、家電機器用データを生成した場合は、ステップＳ３１０で、データ記録手段１８を用いて、生成された家電機器用データ等を記録媒体９の内側に書き込み、必要に応じてセッションをクローズした後、ステップＳ３１１で、読み取った複数の画像データや生成した設定データ、合成画像のデータ又は印刷指示データ、必要に応じて縮小画像データ、情報ファイル、音楽データなどからなるコンピュータ機器用データを家電機器用データの外側に書き込む。
【００６４】
上記手順で作成された記録媒体９のディレクトリ構造は、例えば、図１９に示すようになり、”PS_Roll”フォルダ内のオリジナル画像データやサムネイル画像データ、スクリーンネイル画像データ、”APPL”フォルダ内のスライドショープログラムやスライドショーの設定データ、記録媒体９に関する各種情報が記述された特定の情報ファイル、自動起動ファイルなどに加えて、”ALBUM PRINT”フォルダ内の合成画像のデータなどでコンピュータ機器用データが構成され、Ｖｉｄｅｏ−ＣＤ形式のデータを生成した場合は図１９（ａ）に示すように、”VCD”、”SEGMENT”、”MPEGAV”、”CDI”のフォルダ内のデータで家電機器用データが構成され、ＤＶＤ−Ｖｉｄｅｏ形式のデータを生成した場合は図１９（ｂ）に示すように、”VIDEO_TS”フォルダ内のデータで家電機器用データが構成される。また、合成画像データに代えて印刷指示データを記録する場合は、例えば、図２０に示すようになり、”ALBUM PRINT”フォルダには、合成画像に基づく写真プリント１９を印刷手段１７に印刷させるために必要な情報が記述された印刷指示データが記録される。なお、合成画像のデータや印刷指示データのファイル名は特に限定されないが、予め定めたルールに従ってYYMMDDyyyxxx.jpgやYYMMDDyyyxxx.infなどとすれば、管理を容易にすることができる。
【００６５】
その後、引き続き、又は、一旦処理を終了して作成した記録媒体９を再度記録媒体装填部４に装填した後、印刷制御手段１６を用いて、上記合成画像又は印刷指示データを利用して印刷手段１７に写真プリント１９を印刷させる。その際、画像の配列数、各画像のサイズなどは適宜変更することができ、例えば、図２１に示すようなジャケットプリント２７に合成画像を印刷してもよい。
【００６６】
なお、上記フローでは、メディア８などから画像データを読み取る場合について記載したが、第２の実施例で示したように、記録媒体９から画像データを読み取る場合についても適用することができる。その場合は、画像データが記録された記録媒体９を記録媒体装填部４に装填した後、ステップＳ３０２で、記録媒体９から画像データを読み取り、ステップＳ３１１で、画像データが記録された記録媒体９に合成画像のデータ又は印刷指示データを記録すればよい。
【００６７】
また、上記フローでは、スライドショーに基づく合成画像のデータ又は印刷指示データを記録媒体９に記録したが、各々の画像データに対して、画像を回転させたり、画像を加工したり、文字などを挿入するなどの編集を行って写真プリントを作成する場合は、編集後の画像データや編集の条件などが記述された印刷指示データを記録媒体９に記録してもよい。また、各々の画像データの画像を縮小して配列したインデックスプリントを作成する場合は、画像を縮小して配列した合成画像のデータや画像の配置などが記述された印刷指示データを記録媒体９に記録してもよいし、代表画像や縮小画像などの画像情報とアルバムタイトルやアルバムＩＤなどの文字情報とを合成したジャケットプリントを作成する場合は、合成画像のデータや画像情報と文字情報の配置などが記述された印刷指示データを記録媒体９に記録してもよい。
【００６８】
このように、本実施例では、複数の画像データと設定データとに基づいて、スライドショーに関連付けられた合成画像又は合成画像に基づく写真プリント１９を印刷手段１７に印刷させるための印刷指示データが生成され、記録媒体９には複数の画像データや家電機器用データに加えて、合成画像のデータ又は印刷指示データが記録されるため、記録媒体９を用いて簡単に合成画像の写真プリント１９を作成することができ、記録媒体９の利用価値を高めることができる。
【図面の簡単な説明】
【００６９】
【図１】本発明の第１の実施例に係る制御装置の外観構成を示す図である。
【図２】本発明の第１の実施例に係る制御装置の他の外観構成を示す図である。
【図３】本発明の第１の実施例に係る制御装置の他の外観構成を示す図である。
【図４】本発明の第１の実施例に係る制御装置の他の外観構成を示す図である。
【図５】本発明の第１の実施例に係る制御装置の他の外観構成を示す図である。
【図６】本発明の第１の実施例に係る制御装置の他の外観構成を示す図である。
【図７】本発明の第１の実施例に係る制御装置の構成を示すブロック図である。
【図８】本発明の第１の実施例に係る制御装置を用いた処理の手順を示すフローチャート図である。
【図９】本発明の第１の実施例に係る制御装置の表示手段に表示される画面構成例を示す図である。
【図１０】本発明の第１の実施例に係る制御装置の表示手段に表示されるスライドショーの構成例を示す図である。
【図１１】本発明の第１の実施例に係る制御装置で作成される写真プリントの構成例を示す図である。
【図１２】本発明の第１の実施例に係る制御装置で作成される写真プリントの構成例を示す図である。
【図１３】本発明の第１の実施例の記録媒体におけるデータの記録構造を示す図である。
【図１４】記録媒体の構造を模式的に示す図である。
【図１５】本発明の第２の実施例に係る制御装置の構成を示すブロック図である。
【図１６】本発明の第２の実施例に係る制御装置を用いた処理の手順を示すフローチャート図である。
【図１７】本発明の第３の実施例に係る制御装置を用いた処理の手順を示すフローチャート図である。
【図１８】本発明の第３の実施例に係る制御装置の表示手段に表示される画面構成例を示す図である。
【図１９】本発明の第３の実施例の記録媒体におけるデータの記録構造を示す図である。
【図２０】本発明の第３の実施例の記録媒体におけるデータの記録構造を示す図である。
【図２１】本発明に係る制御装置で作成されるジャケットプリントの構成例を示す図である。
【符号の説明】
【００７０】
１  制御装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  通信ネットワーク
１１  サーバ
１２  データ入力手段
１３  データ生成手段
１４  設定データ生成手段
１５  合成画像生成手段
１６  印刷制御手段
１７  印刷手段
１８  データ記録手段
１９  写真プリント
２０  スライドショー設定画面
２１  一覧表示欄
２２  拡大表示欄
２３  作業メニュー欄
２４  スライド画面
２５  設定データ特定手段
２６  選択画面
２７  ジャケットプリント
１００  ポリカーボネート基板
１０１  有機色素層
１０２  反射層
１０３  保護層
【図１】
2007012015.tif 000003
【図２】
2007012015.tif 000004
【図３】
2007012015.tif 000005
【図４】
2007012015.tif 000006
【図５】
2007012015.tif 000007
【図６】
2007012015.tif 000008
【図７】
2007012015.tif 000009
【図８】
2007012015.tif 000010
【図９】
2007012015.tif 000011
【図１０】
2007012015.tif 000012
【図１１】
2007012015.tif 000013
【図１２】
2007012015.tif 000014
【図１３】
2007012015.tif 000015
【図１４】
2007012015.tif 000016
【図１５】
2007012015.tif 000017
【図１６】
2007012015.tif 000018
【図１７】
2007012015.tif 000019
【図１８】
2007012015.tif 000020
【図１９】
2007012015.tif 000021
【図２０】
2007012015.tif 000022
【図２１】
2007012015.tif 000023